(57)【要約】【課題】簡単で安価なシステム構成であっても効果的に情報を提示することができる情報提示システムを提供する。【解決手段】利用者の存在又は動作を検出する複数のセンサ（１）〜（７）と、表示又は音声出力を行う入力装置１２を含み、利用者により操作される操作入力部２４と、複数のセンサにより検出された複数のセンサ信号を取得するセンサ情報取得部１５と、センサ情報取得部１５により取得された複数のセンサ信号の組み合わせに基づいて、ユーザインターフェース表示部２１による表示形態及び／又は音声出力形態を変更するユーザインターフェース変更部２２とを備える。【選択図】図２
2011204061.tif 000002
【特許請求の範囲】
【請求項１】
利用者の存在又は動作を検出する複数のセンサと、
表示又は音声出力を行うユーザインターフェース部を含み、利用者により操作される入力手段と、
前記複数のセンサにより検出された複数のセンサ信号を取得するセンサ情報取得手段と、
前記入力手段は、前記センサ情報取得手段により取得された複数のセンサ信号の組み合わせに基づいて、前記インターフェース部による表示形態及び／又は音声出力形態を変更するユーザインターフェース変更手段を備えることを特徴とする情報提示システム。
【請求項２】
前記センサ情報取得手段は、各センサ信号を取得した時刻情報を取得し、
前記ユーザインターフェース変更手段は、前記各センサ信号の時刻情報の組み合わせに基づいて、前記ユーザインターフェース部による表示形態及び／又は音声出力形態を変更することを特徴とする請求項１に記載の情報提示システム。
【請求項３】
前記各センサが設置された空間の属性情報を記憶したセンサテーブルを有し、
前記センサ情報取得手段は、各センサ信号を出力したセンサの空間の属性情報を取得し、
前記ユーザインターフェース変更手段は、前記各センサ信号を出力したセンサの空間の属性情報の組み合わせに基づいて、前記ユーザインターフェース部による表示形態及び／又は音声出力形態を変更することを特徴とする請求項１に記載の情報提示システム。
【請求項４】
前記各センサが設置された空間の属性情報を記憶したセンサテーブルを有し、
前記ユーザインターフェース変更手段は、前記センサ信号を出力したセンサの空間の属性情報に基づいて、音量を変化させることを特徴とする請求項１に記載の情報提示システム。
【請求項５】
前記複数のセンサのうち、少なくとも２つのセンサは、前記入力手段に含まれるボタンと住宅外の利用者により操作されるインターホン装置のボタンであることを特徴とする請求項１乃至請求項４の何れか一項に記載の情報提示システム。
【発明の詳細な説明】
【技術分野】
【０００１】
本発明は、利用者の操作に応じて各種情報を提示する情報提示システムに関する。
【背景技術】
【０００２】
従来より、利用者の活動を推定する技術が提案されている。この技術は、室内や公共の空間にセンサを配置し、センサにより検出されたセンサ信号の組み合わせ（シーケンス）に基づいて利用者の活動を推定し、各種の支援を行う。
【０００３】
例えば特許文献１に記載されたユーザ支援システムは、センサ信号に基づいてユーザの動作を時間軸で評価する。このユーザ支援システムは、ユーザの動作に連続性があるか否かに基づいてユーザの状態を推定し、支援方法を決定する。
【先行技術文献】
【特許文献】
【０００４】
【特許文献１】特開２００５−０８４８２８号公報
【発明の概要】
【発明が解決しようとする課題】
【０００５】
しかしながら、上述した特許文献１等の技術では、時間軸を考慮した高度な演算処理、及び、ユーザの動作に応じてどのような支援を行うかのマッチング処理が必要であった。
【０００６】
また、従来の技術では、公共の空間にて多数のユーザの活動を推定する必要があったため、ＩＣタグ等による高価な装置を設置して、個人を特定する必要があった。
【０００７】
更に、従来の技術では、ユーザがシステムを利用する場面が多彩であったため、効果的にユーザの支援を行うことが困難であった。
【０００８】
そこで、本発明は、上述した実情に鑑みて提案されたものであり、簡単で安価なシステム構成であっても効果的に情報を提示することができる情報提示システムを提供することを目的とする。
【課題を解決するための手段】
【０００９】
上記の課題を解決する第１の発明に係る情報提示システムは、利用者の存在又は動作を検出する複数のセンサと、表示又は音声出力を行うユーザインターフェース部を含み、利用者により操作される入力手段と、前記複数のセンサにより検出された複数のセンサ信号を取得するセンサ情報取得手段と、前記センサ情報取得手段により取得された複数のセンサ信号の組み合わせに基づいて、前記インターフェース部による表示形態及び／又は音声出力形態を変更するユーザインターフェース変更手段とを備えることを特徴とする。
【００１０】
第１の発明に係る情報提示システムであって、第２の発明は、前記センサ情報取得手段は、各センサ信号を取得した時刻情報を取得し、前記ユーザインターフェース変更手段は、前記各センサ信号の時刻情報の組み合わせに基づいて、前記ユーザインターフェース部による表示形態及び／又は音声出力形態を変更することを特徴とする。
【００１１】
第１の発明に係る情報提示システムであって、第３の発明は、前記各センサが設置された空間の属性情報を記憶したセンサテーブルを有し、前記センサ情報取得手段は、各センサ信号を出力したセンサの空間の属性情報を取得し、前記ユーザインターフェース変更手段は、前記各センサ信号を出力したセンサの空間の属性情報の組み合わせに基づいて、前記ユーザインターフェース部による表示形態及び／又は音声出力形態を変更することを特徴とする。
【００１２】
第１の発明に係る情報提示システムであって、第４の発明は、前記各センサが設置された空間の属性情報を記憶したセンサテーブルを有し、前記ユーザインターフェース変更手段は、前記センサ信号を出力したセンサの空間の属性情報に基づいて、音量を変化させることを特徴とする。
【００１３】
第１乃至第４の何れかの発明に係る情報提示システムであって、第５の発明は、前記複数のセンサのうち、少なくとも２つのセンサは、前記入力手段に含まれるボタンと住宅外の利用者により操作されるインターホン装置のボタンであることを特徴とする
【発明の効果】
【００１４】
本発明によれば、複数のセンサ信号の組み合わせに基づいて、インターフェース部による表示形態及び／又は音声出力形態を変更するので、利用者の行動に基づいてユーザインターフェースを変化させることができる。したがって、本発明によれば、複数のセンサにより検出されたセンサ信号の組み合わせを解析するという簡単で安価なシステム構成であっても、効果的に利用者の状況に応じた情報を提示することができる。
【図面の簡単な説明】
【００１５】
【図１】本発明の第１実施形態として示す情報提示システムを含む住宅の一構成例を示す概略図である。
【図２】本発明の第１実施形態として示す情報提示システムに含まれる情報表示装置の機能的な構成を示すブロック図である。
【図３】情報表示装置のセンサ設置場所記憶部に記憶される情報の一例を示す図である。
【図４】情報表示装置の外観構成の一例を示す斜視図である。
【図５】高齢者用ユーザインターフェースの一例を示す図である。
【図６】緊急事態用ユーザインターフェースの一例を示す図である。
【図７】本発明の第１実施形態として示す情報提示システムにおけるシステム制御部の処理手順を示すフローチャートである。
【図８】センサ情報記憶部に記憶される情報の一例を示す図である。
【図９】情報表示装置のユーザインターフェースを高齢者用ユーザインターフェースに変更した様子を示す斜視図である。
【図１０】センサ情報記憶部に記憶される情報の一例を示す図である。
【図１１】情報表示装置のユーザインターフェースを緊急事態用ユーザインターフェースに変更した様子を示す斜視図である。
【図１２】センサ情報記憶部に記憶される情報の一例を示す図である。
【図１３】本発明の第２実施形態として示す情報提示システムに含まれる情報表示装置の機能的な構成を示すブロック図である。
【図１４】情報表示装置のセンサ設置場所記憶部に記憶される情報の一例を示す図である。
【図１５】情報表示装置のセンサシーケンスメニュー候補記憶部に記憶される情報の一例を示す図である。
【図１６】住宅内における利用者の移動とセンサとの関係を示す図である。
【図１７】センサ情報記憶部に記憶される情報の一例を示す図である。
【図１８】本発明の第２実施形態として示す情報提示システムにおけるシステム制御部の処理手順を示すフローチャートである。
【図１９】情報表示装置のユーザインターフェースを、ＡＶコンテンツ情報を優先して表示させるためのメニュー画面を示す斜視図である。
【図２０】本発明の第３実施形態として示す情報提示システムに含まれる情報表示装置の機能的な構成を示すブロック図である。
【図２１】住宅内における情報表示装置、電気錠センサ、インターホン装置の関係を示す図である。
【図２２】インターホン装置の外観構成の一例を示す斜視図である。
【図２３】標準ユーザインターフェースの一例を示す図である。
【図２４】来訪者対応ユーザインターフェースの一例を示す図である。
【図２５】帰宅対応ユーザインターフェースの一例を示す図である。
【図２６】本発明の第３実施形態として示す情報提示システムにおけるシステム制御部の処理手順を示すフローチャートである。
【図２７】検出情報記憶部に記憶される情報の一例を示す図である。
【図２８】情報表示装置のユーザインターフェースを帰宅対応ユーザインターフェースに変更した様子を示す斜視図である。
【図２９】検出情報記憶部に記憶される情報の一例を示す図である。
【図３０】情報表示装置のユーザインターフェースを来訪者対応ユーザインターフェースに変更した様子を示す斜視図である。
【発明を実施するための形態】
【００１６】
以下、本発明の実施の形態について図面を参照して説明する。
【００１７】
［第１実施形態］
本発明の第１実施形態として示す情報提示システムは、例えば、図１に示すような住宅１内に備えられる。住宅１には、１階（１Ｆ）に玄関、廊下、階段、台所、南窓があり、２階（２Ｆ）にＡＶルーム、和室がある。この情報提示システムは、玄関に人感センサ（１）、廊下に人感センサ（２）、台所に人感センサ（３）、南窓に衝撃センサ（４）、階段に人感センサ（５）が設置されている。また、情報提示システムは、ＡＶルームに人感センサ（６）、和室に人感センサ（７）が設置されている。
【００１８】
また、情報提示システムは、玄関付近に、住宅１の利用者Ｐが各種の情報を入手できるようなユーザインターフェース部を備えた情報表示装置１０が設置されている。情報表示装置１０は、例えば、図２に示すような機能的な構成を有する。
【００１９】
情報表示装置１０は、システム制御部１１、入力装置（入力手段）１２、センサ設置場所記憶部１３、時刻管理部１４、センサ情報取得部１５及びセンサ情報記憶部１６を備える。
【００２０】
システム制御部１１は、情報表示装置１０の動作を統括的に制御する。システム制御部１１は、例えばＣＰＵ、メモリ、制御プログラム等からなる。なお、このシステム制御部１１の動作については、後に詳述する。
【００２１】
入力装置１２は、システム制御部１１の制御に従って、利用者Ｐに対して、情報表示装置１０のユーザインターフェースを提供する。入力装置１２は、ユーザインターフェース（ＵＩ）表示部２１、ユーザインターフェース（ＵＩ）変更部２２、音声発生部２３及び操作入力部２４を含む。
【００２２】
ユーザインターフェース表示部２１は、利用者Ｐが選択可能なメニュー画面、当該メニュー画面により選択された情報を含む情報画面を表示する。音声発生部２３は、各種の音声を出力する。これらユーザインターフェース表示部２１及び音声発生部２３は、ユーザインターフェース変更部２２により表示形態及び／又は音声出力形態が変更されるユーザインターフェース部として機能する。
【００２３】
ユーザインターフェース変更部２２は、システム制御部１１の制御に従って、ユーザインターフェース表示部２１及び音声発生部２３による表示形態及び／又は音声出力形態を変更する。
【００２４】
操作入力部２４は、利用者Ｐの操作を入力する。操作入力部２４は、例えば、ユーザインターフェース表示部２１の表示画面に内蔵されたタッチパネル機構や押ボタン等を含む。操作入力部２４は、利用者Ｐがユーザインターフェース表示部２１に表示されたメニュー画面における情報を見たい場合や、メニュー画面に提示された制御を行いたい場合などに、利用者Ｐにより操作される。
【００２５】
センサ設置場所記憶部１３は、住宅１に設置された各種のセンサの空間の属性情報を含むセンサテーブルを記憶している。センサ設置場所記憶部１３には、例えば、図３に示すようなセンサテーブルを記憶している。このセンサテーブルには、センサ名と、設置場所と、センサ種別と、情報表示装置１０までの距離とが対応付けられて記憶されている。このセンサテーブルは、住宅１の建築時などに、情報表示装置１０の設置作業者により作成されて、記憶される。
【００２６】
センサ情報取得部１５は、住宅１に設置されたセンサ（１）〜（７）と接続されている。センサ情報取得部１５は、人感センサが人の存在、動作を検知した時に、当該人感センサからセンサ信号が供給される。また、センサ情報取得部１５は、衝撃センサが衝撃を検知した時に、当該衝撃センサからセンサ信号が供給される。ここで、衝撃センサ（７）は、南窓の衝撃を検知したときにセンサ信号を出力するものである。しかし、南窓の衝撃が人の行動に起因して発生するため、衝撃センサ（７）は、人の動作を検知するセンサとしても機能することとなる。
【００２７】
時刻管理部１４は、現在時刻を計時している。時刻管理部１４は、センサ情報取得部１５の要求に応じて、現在時刻がセンサ情報取得部１５に取得される。
【００２８】
センサ情報記憶部１６は、センサ情報取得部１５によりセンサ信号が取得されたことに応じて、センサ名及び検出時刻を記憶する。センサ情報取得部１５は、センサ信号を取得したときに、当該センサ信号に含まれる識別子に基づいて、当該センサ信号を出力したセンサ名を取得し、時刻管理部１４により管理されている現在時刻を取得する。これにより、センサ情報記憶部１６は、センサ情報取得部１５から供給されたセンサ名及び検出時刻を時間軸に沿って蓄積できる。
【００２９】
このような情報表示装置１０は、例えば、図４に示す外観構成となっている。情報提示システムは、例えば、筐体３１に、スピーカ３２、表示ディスプレイ３３、マイク３４、押ボタン３５が設けられている。
【００３０】
標準ユーザインターフェースが選択された場合、情報表示装置１０の表示ディスプレイ３３には、ユーザインターフェースとして、例えば図４に示すようなメニュー画面を表示させる。このメニュー画面には、例えば、戸締りボタン４１ａ、来訪者ボタン４１ｂ、電力消費ボタン４１ｃ、伝言メモボタン４１ｄ、天気予報ボタン４１ｅ、その他ボタン４１ｆを含む。これらのボタンは、表示ディスプレイ３３に内蔵されたタッチパネル機構により、利用者Ｐの押圧操作が検出可能となっている。
【００３１】
戸締りボタン４１ａが押されると、情報表示装置１０は、例えば住宅１内の窓の施錠状態を表示する。来訪者ボタン４１ｂが押されると、情報表示装置１０は、来訪者の履歴情報を表示する。電力消費ボタン４１ｃが押されると、情報表示装置１０は、電力消費の履歴情報を表示する。伝言メモボタン４１ｄが押されると、情報表示装置１０は、電話やインターホン等を介して記録された伝言メモに関する情報を表示する。天気予報ボタン４１ｅが押されると、情報表示装置１０は、これからの天気に関する情報を表示する。これらのボタンが押されたことに応じて表示する情報は、予め住宅１のセンサや錠装置、インターホン装置、電気機器、Ｗｅｂブラウザと通信を行うことによって、情報表示装置１０が取得しておく。
【００３２】
高齢者用ユーザインターフェースが選択された場合、情報表示装置１０の表示ディスプレイ３３には、ユーザインターフェースとして、例えば図５に示すようなメニュー画面を表示させる。このメニュー画面には、例えば、家族連絡（１）ボタン４２ａ、病院連絡（１）ボタン４１ｂ、呼出ボタン４２ｃを含む。また、この高齢者用ユーザインターフェースは、図４、図６に示すユーザインターフェースと比較して、文字サイズが大きくなっている。これらのボタンは、表示ディスプレイ３３に内蔵されたタッチパネル機構により、利用者Ｐの押圧操作が検出可能となっている。
【００３３】
家族連絡（１）ボタン４２ａが押されると、情報表示装置１０は、例えば、予め番号（１）として登録されている家族の携帯電話に発信する動作を行い、マイク３４及びスピーカ３２を介して通話可能な状態にする。病院連絡（１）ボタン４２ｂが押されると、情報表示装置１０は、例えば、予め番号（１）として登録されている病院に発信する動作を行い、マイク３４を介して通話可能な状態にする。呼び出しボタン４２ｃが押されると、情報表示装置１０は、スピーカ３２から放音することによって、住宅１内の家族を呼び出す動作を行う。
【００３４】
セキュリティ関連ユーザインターフェースが選択された場合、情報表示装置１０の表示ディスプレイ３３には、ユーザインターフェースとして、例えば図６に示すようなメニュー画面を表示させる。このメニュー画面には、例えば、火災通報ボタン４３ａ、ブレーカＯＦＦボタン４３ｂ、スプリンクラボタン４３ｃ、侵入通報ボタン４３ｄ、煙排出ボタン４３ｅ、及び、その他ボタン４３ｆを含む。これらのボタンは、表示ディスプレイ３３に内蔵されたタッチパネル機構により、利用者Ｐの押圧操作が検出可能となっている。
【００３５】
火災通報ボタン４３ａが押されると、情報表示装置１０は、予め登録されている火災通報の通報先に発信する動作を行う。ブレーカＯＦＦボタン４３ｂが押されると、情報表示装置１０は、住宅１内のブレーカをオフにする制御を行う。スプリンクラボタン４３ｃが押されると、情報表示装置１０は、住宅１内のスプリンクラを稼働にする制御を行う。侵入通報ボタン４３ｄが押されると、情報表示装置１０は、予め侵入通報先として登録されている番号に発信する動作を行う。煙排出ボタン４３ｅが押されると、情報表示装置１０は、住宅１内の煙排出口を開状態にする制御を行う。その他ボタン４３ｆが押された場合、情報表示装置１０は、他のメニュー項目を含むメニュー画面を表示させる。
【００３６】
このような情報提示システムにおいて、システム制御部１１は、図７に示すような処理手順に従って動作する。
【００３７】
先ずステップＳ１０１において、システム制御部１１は、センサ情報記憶部１６から最新の記憶情報を取得する。センサ情報記憶部１６には、例えば図８等に示すように、上段から下段に向けて新しい情報が蓄積されている。
【００３８】
次のステップＳ１０２において、システム制御部１１は、ステップＳ１０１にて取得した最新の記憶情報が、人感センサ（１）による検知か否かを判定する。人感センサ（１）による検知である場合には、ステップＳ１０３に処理を進め、そうでない場合には、ステップＳ１１１に処理を進める。
【００３９】
ステップＳ１０３において、システム制御部１１は、センサ情報記憶部１６から、２番目に新しい人感センサにより得た情報を取得する。
【００４０】
次のステップＳ１０４において、システム制御部１１は、ステップＳ１０１にて取得した最新のセンサ名及び検出時刻と、ステップＳ１０３にて取得した２番目に新しいセンサ名及び検出時刻とを比較して、双方の時間間隔及びセンサ間の距離を求める。そして、システム制御部１１は、当該双方の時間間隔及びセンサ間の距離から、利用者Ｐの移動速度を算出する。
【００４１】
次のステップＳ１０５において、システム制御部１１は、ステップＳ１０４にて算出した利用者Ｐの移動速度が、２．５Ｋｍ／ｈ以下か否かを判定する。利用者Ｐの移動速度が２．５Ｋｍ／ｈ以下である場合には、ステップＳ１０６に処理を進め、そうでない場合には、ステップＳ１０７に処理を進める。なお、２．５Ｋｍという値は、あくまでも一例であり、後述するように、高齢者か否かを判定できる値であれば良い。
【００４２】
ステップＳ１０７において、システム制御部１１は、ステップＳ１０４にて算出した利用者Ｐの移動速度が、５Ｋｍ／ｈ以上か否かを判定する。利用者Ｐの移動速度が５Ｋｍ／ｈ以上である場合には、ステップＳ１０８に処理を進め、そうでない場合には、ステップＳ１０９に処理を進める。なお、５Ｋｍという値は、あくまでも一例であり、後述するように、緊急事態か通常状態かを判定できる値であれば良い。
【００４３】
ステップＳ１０６において、システム制御部１１は、利用者Ｐが高齢者と判断し、高齢者用ユーザインターフェースを選択する。
【００４４】
例えば、図８に示すように、センサ情報記憶部１６に対してセンサ名及び検出時刻が記録した場合、人感センサ（２）から人感センサ（１）に移動したのに要した時間は３秒となる。また、センサ設置場所記憶部１３から人感センサ（２）と人感センサ（１）との距離は、２メートルである。これにより、システム制御部１１は、利用者Ｐの移動速度が２．４Ｋｍ／ｈと判断できる。これにより、ステップＳ１０５の判定は、肯定判定となり、システム制御部１１は、高齢者用ユーザインターフェースを選択できる。ユーザインターフェース変更部２２は、図９に示すように、表示ディスプレイ３３に表示するユーザインターフェースを、高齢者用ユーザインターフェースに切り替えるようユーザインターフェース表示部２１を制御する。
【００４５】
ステップＳ１０８においては、システム制御部１１は、異常事態が発生したと判断し、セキュリティ関連ユーザインターフェースを選択する。
【００４６】
例えば、図１０に示すように、センサ情報記憶部１６に対してセンサ名及び検出時刻が記録した場合、人感センサ（２）から人感センサ（１）に移動したのに要した時間は１秒となる。また、センサ設置場所記憶部１３から人感センサ（２）と人感センサ（１）との距離は、２メートルである。これにより、システム制御部１１は、利用者Ｐの移動速度が７Ｋｍ／ｈと判断できる。この場合、ステップＳ１０７の判定は、肯定判定となり、システム制御部１１は、セキュリティ関連ユーザインターフェースを選択できる。ユーザインターフェース変更部２２は、図１１に示すように、表示ディスプレイ３３に表示するユーザインターフェースを、セキュリティ関連ユーザインターフェースに切り替えるようユーザインターフェース表示部２１を制御する。
【００４７】
ステップＳ１０９において、システム制御部１１は、標準ユーザインターフェースを選択する。このように、システム制御部１１は、利用者Ｐの移動速度が通常の範囲内であるときには、利用者Ｐが標準的な状態と判断できる。
【００４８】
次のステップＳ１１０において、システム制御部１１は、ステップＳ１０６、ステップＳ１０８又はステップＳ１０９の何れかにより選択されたユーザインターフェースを表示させる。
【００４９】
一方、ステップＳ１０２にて否定判定された後のステップＳ１１１において、システム制御部１１は、衝撃センサ（４）による検知か否かを判定する。衝撃センサ（４）による検知である場合には、ステップＳ１１２に処理を進め、そうでない場合には、処理を終了する。例えば、図１２に示すように、衝撃センサ（４）からのセンサ信号をセンサ情報取得部１５が入力したときに、ステップＳ１１１の判定が肯定判定となる。
【００５０】
ステップＳ１１２において、システム制御部１１は、センサ情報記憶部１６から、最後に取得された人感センサの記憶情報を取得する。図１２の場合、システム制御部１１は、人感センサ（７）のセンサ名を最後の記録情報として取得できる。
【００５１】
次のステップＳ１１３において、システム制御部１１は、ステップＳ１１２にて取得された人感センサと情報表示装置１０との距離を、センサ設置場所記憶部１３から取得する。図１２の場合、システム制御部１１は、人感センサ（７）と情報表示装置１０との距離が４メートルとして取得できる。
【００５２】
次のステップＳ１１４において、システム制御部１１は、ステップＳ１１３により取得した人感センサと情報表示装置１０との距離が４メートル以上か否かを判定する。距離が４メートル以上である場合には、ステップＳ１１５に処理を進め、そうでない場合には、ステップＳ１１６に処理を進める。なお、４メートルという値は、あくまでも一例であり、後述するように、音量を大きくして利用者Ｐに通知することが必要か否かを判定できる値であれば良い。
【００５３】
ステップＳ１１６において、システム制御部１１は、ステップＳ１１３により取得した人感センサと情報表示装置１０との距離が２メートル以上か否かを判定する。距離が２メートル以上である場合には、ステップＳ１１７に処理を進め、そうでない場合には、ステップＳ１１８に処理を進める。なお、２メートルという値は、あくまでも一例であり、後述するように、音量を中又は小にして利用者Ｐに通知することが必要か否かを判定できる値であれば良い。
【００５４】
ステップＳ１１５において、システム制御部１１は、情報表示装置１０から放音する音量を「大」に設定する。
【００５５】
ステップＳ１１７において、システム制御部１１は、情報表示装置１０から放音する音量を「中」に設定する。
【００５６】
ステップＳ１１８において、システム制御部１１は、情報表示装置１０から放音する音量を「小」に設定する。
【００５７】
ステップＳ１１９において、システム制御部１１は、ステップＳ１１５、ステップＳ１１７又はステップＳ１１８の何れかにより選択された音量により、警告音を発生させる。この警告音は、例えば「窓に異常が発生しました」などがある。図１２の場合、システム制御部１１は、音声発生部２３から音量を「大」として報知できる。
【００５８】
これにより、情報提示システムは、侵入者等により南窓が割られて、衝撃センサ（４）が作動したことを情報表示装置１０が検出したときに、情報表示装置１０から利用者Ｐの距離に応じた音量で警告音を発生させることができる。
【００５９】
以上説明したように、第１実施形態として示した情報提示システムによれば、複数のセンサにより検出された複数のセンサ信号を取得し、当該複数のセンサ信号の組み合わせに基づいて、インターフェース部による表示形態及び／又は音声出力形態を変更する。これにより、情報提示システムによれば、利用者Ｐが情報を入手するために情報表示装置１０の操作入力部２４に対して入力操作を行うときに、利用者Ｐの行動に基づいてユーザインターフェースを変化させることができる。したがって、この情報提示システムによれば、複数の人感センサにより検出されたセンサ信号の組み合わせを解析するという簡単で安価なシステム構成であっても、効果的に利用者Ｐの状況に応じた情報を提示することができる。
【００６０】
また、この情報提示システムによれば、各センサ信号を取得した時刻情報を取得し、各センサ信号の時刻情報の組み合わせに基づいて、ユーザインターフェース部（ユーザインターフェース表示部２１、音声発生部２３）による表示形態及び／又は音声出力形態を変更することができる。すなわち、情報提示システムは、センサ信号を取得した時刻情報の組み合わせに応じて、利用者Ｐが急いでいるか否かを判定し、利用者Ｐの状況や年齢を推定することができ、利用者Ｐに応じたユーザインターフェースを提供できる。
【００６１】
更に、この情報提示システムによれば、センサ信号を出力したセンサの空間の属性情報に基づいて、音量を変化させるので、例えば、眼の不自由な人向けのユーザインターフェースである場合、利用者の位置に応じた音量調整を行うことができる。また、外部からの侵入者を住人に通知する場合であっても、当該侵入者の位置と住人との距離に応じて音量を調整できる。
【００６２】
［第２実施形態］
つぎに、第２実施形態に係る情報提示システムについて説明する。なお、上述の第１実施形態と同様の部分については同一符号を付することによりその詳細な説明を省略する。
【００６３】
第２実施形態として示す情報提示システムにおける情報表示装置１０は、例えば図１３に示すような機能的な構成を有する。この情報表示装置１０は、第１実施形態における情報表示装置１０に対して、センサシーケンスメニュー候補記憶部５１を備えている。
【００６４】
この情報提示システムは、図１に示したシステム構成において、センサ設置場所記憶部１３に、図１４に示すセンサテーブルを記憶している。このセンサテーブルには、センサ名と、設置場所と、センサ種別とが対応付けられて記憶されている。このセンサテーブルは、住宅１の建築時などに、情報表示装置１０の設置作業者により作成されて、記憶される。
【００６５】
センサシーケンスメニュー候補記憶部５１は、情報表示装置１０のユーザインターフェースを変更する条件が記録されている。センサシーケンスメニュー候補記憶部５１には、例えば図１５に示すように、条件番号と、条件シーケンスと、移動元と、優先表示メニューとが対応付けられて記憶されている。条件シーケンスは、複数のセンサのうち、人の存在を検出するセンサ名の順序である。移動元は、移動した利用者Ｐが、情報表示装置１０に移動した行動における行動開始位置である。これらのセンサ名の順序及び移動元は、各センサ信号を出力したセンサの空間の属性情報の組み合わせを示している。優先表示メニューは、移動元から条件シーケンスに従って利用者Ｐが移動したときに、情報表示装置１０の表示ディスプレイ３３に優先的に表示させるメニュー画面である。
【００６６】
図１５に示す例では、条件番号「１」、「２」に対応したセンサシーケンスを示している。条件番号「１」によれば、利用者Ｐが移動元の「ＡＶルーム」から行動を開始し、人感センサ（６）、人感センサ（５）、人感センサ（２）、人感センサ（１）の順番でセンサ信号を検出した場合に、ＡＶコンテンツ情報を優先して表示させる。すなわち、空間の属性情報の組み合わせが、ＡＶルームから情報表示装置１０への移動を表している場合には、ユーザインターフェースは、ＡＶコンテンツ情報を含むものとされる。条件番号「２」によれば、利用者Ｐが移動元の「台所」から行動を開始し、人感センサ（３）、人感センサ（２）、人感センサ（１）の順番でセンサ信号を検出した場合に、料理レシピ、クッキング情報を優先して表示させる。すなわち、空間の属性情報の組み合わせが、台所から情報表示装置１０への移動を表している場合には、ユーザインターフェースは、料理やレシピを含むものとされる。
【００６７】
システム制御部１１は、センサ設置場所記憶部１３に記憶されたセンサテーブルとセンサ情報取得部１５により取得された各センサとから、時間軸上で検出された複数のセンサ信号の組み合わせが、どのシーケンスに該当するかを判定する。そして、システム制御部１１は、複数のセンサ信号の組み合わせが、センサシーケンスメニュー候補記憶部５１に記憶されたシーケンスに該当する場合に、ユーザインターフェースを変更するようユーザインターフェース変更部２２を制御する。
【００６８】
例えば、図１６に示すように、ＡＶルームから情報表示装置１０に向けて利用者Ｐが移動した場合、センサ情報取得部１５には、人感センサ（６）、人感センサ（５）、人感センサ（２）、人感センサ（１）の順でセンサ信号が供給される。これにより、センサ情報記憶部１６には、図１７に示すように、時間軸に沿って、センサ名が記憶される。そして、システム制御部１１は、センサ情報記憶部１６に記憶された時間軸上の複数のセンサ名の組み合わせと、センサシーケンスメニュー候補記憶部５１に記憶された移動元及び条件シーケンスとを比較する。これにより、システム制御部１１は、条件番号「１」に該当することを判定でき、情報表示装置１０の表示ディスプレイ３３にＡＶコンテンツ情報を優先的に表示させることができる。
【００６９】
このような情報提示システムにおけるシステム制御部１１は、例えば図１８に示すような処理を行う。ここで、図１６に示したように利用者Ｐが点線Ｐ’に沿って行動して、図１７に示す情報がセンサ情報記憶部１６に記憶されたときについて説明する。
【００７０】
先ずステップＳ２０１において、システム制御部１１は、センサ情報記憶部１６から最新の記憶情報を取得する。
【００７１】
次のステップＳ２０２において、システム制御部１１は、ステップＳ２０１にて取得した最新の記憶情報が、人感センサ（１）による検知か否かを判定する。人感センサ（１）による検知である場合には、ステップＳ１０３に処理を進め、そうでない場合には、処理を終了する。情報表示装置１０は、人感センサ（１）による検知であることを検出するまで、ステップＳ２０１、２０２の処理を繰り返して、図１７に示す情報をセンサ情報記憶部１６により取得することができる。
【００７２】
ステップＳ２０３において、システム制御部１１は、センサシーケンスメニュー候補記憶部５１から、条件シーケンスを取得する。
【００７３】
次のステップＳ２０４において、システム制御部１１は、センサ情報記憶部１６に記憶されたセンサ名の記憶順序と、ステップＳ２０３にて取得した条件シーケンスとを比較する。システム制御部１１は、センサ情報記憶部１６に記憶されたセンサ名の記憶順序の一部一致する条件シーケンスが存在するか否かを判定し、存在する場合には、ステップＳ２０５に処理を進め、存在しない場合には、ステップＳ２０６に処理を進める。
【００７４】
図１６の点線Ｐ’に示すように利用者Ｐが移動したとき、図１７には、人感センサ（５）、人感センサ（６）、人感センサ（５）、人感センサ（２）、人感センサ（１）の順番でセンサ名が記録される。これに対し、条件シーケンスとしては、条件番号「１」として人感センサ（６）、人感センサ（５）、人感センサ（２）、人感センサ（１）の順番が登録されている。したがって、この条件番号「１」の条件シーケンスが、センサ情報記憶部１６に記憶したセンサ名の記憶順序と一部一致することとなる。
【００７５】
ステップＳ２０５において、システム制御部１１は、入力装置１２のユーザインターフェース表示部２１により表示するメニュー画面の候補を、センサシーケンスメニュー候補記憶部５１から取得する。ここで、システム制御部１１は、条件番号「１」の条件シーケンスが、センサ情報記憶部１６に記憶したセンサ名の記憶順序と一部一致しているので、ＡＶコンテンツ情報を優先的に表示すると判断する。
【００７６】
ステップＳ２０６において、システム制御部１１は、センサ情報記憶部１６に記憶したセンサ名の記憶順序が、条件シーケンスと一致していないので、標準用ユーザインターフェースを表示させると判断する。
【００７７】
次のステップＳ２０７において、システム制御部１１は、ステップＳ２０５又はステップＳ２０６により選択されたユーザインターフェースを表示させる。ここで、システム制御部１１は、ステップＳ２０５においてＡＶコンテンツ情報を優先的に表示させると判断した場合、予め表示可能なメニュー項目のうち、ＡＶコンテンツ情報に関するメニュー項目を含むメニュー画面を表示させる。このメニュー画面には、図１９に示すように、Ｈｉｔチャートボタン４４ａ、音楽視聴ボタン４４ｂ、新作レビューボタン４４ｃ、レンタルＤＶＤボタン４４ｄ、お勧めボタン４４ｅ、その他ボタン４４ｆが含まれる。
【００７８】
以上詳細に説明したように、本発明の第２実施形態として示した情報提示システムによれば、各センサ信号を出力したセンサの空間の属性情報の組み合わせに基づいて、ユーザインターフェース部（ユーザインターフェース表示部２１、音声発生部２３）による表示形態及び／又は音声出力形態を変更することができる。
【００７９】
具体的には、利用者ＰがＡＶ関連の買い物のために外出する際には、ＡＶルームから移動を開始して玄関に至ることが多い。このことを利用し、情報提示システムは、ＡＶルームから情報表示装置１０に移動する条件シーケンスを検出した場合には、利用者Ｐの望むと推定されるＡＶコンテンツ情報をユーザインターフェースに含めることができる。また、利用者Ｐが食料の買い物のために外出する際には、台所の冷蔵庫の内容を確認してから移動を開始して玄関に至ることが多い。このことを利用し、情報提示システムは、台所から情報表示装置１０に移動する条件シーケンスを検出した場合には、利用者Ｐの望むと推定される料理やレシピを含む情報をユーザインターフェースに含めることができる。
【００８０】
［第３実施形態］
つぎに、第３実施形態に係る情報提示システムについて説明する。なお、上述の実施形態と同様の部分については同一符号を付することによりその詳細な説明を省略する。
【００８１】
第３実施形態として示す情報提示システムは、図２０に示すように、住宅１内の電気錠センサ６１、インターフォンボタン６２と接続されている。また、情報表示装置１０には、押ボタン３５の操作をシステム制御部１１により検出して、ユーザインターフェースを変更する。このような情報提示システムは、上述した複数のセンサの一部として、複数のセンサのうち少なくとも２つのセンサが、図２１に示すように、情報表示装置１０に含まれるボタンと住宅１外の利用者により操作されるインターホン装置８０のボタン（インターフォンボタン６２）である。
【００８２】
なお、第３実施形態に係る情報提示システムは、上述した第１実施形態、第２実施形態にて示した構成を省略しているが、第１実施形態、第２実施形態にて示した構成を更に備えていても良いことは勿論である。
【００８３】
このインターホン装置８０は、図２２に示すように、筐体８１に、カメラ８２、スピーカ８３、押ボタン８４、マイク８５が設けられている。このインターホン装置８０は、来訪者Ｐ２が押ボタン８４を押すと、カメラ８２により来訪者Ｐ２を撮像すると共に、マイク８５及びスピーカ８３を起動する。これにより、インターホン装置８０は、来訪者Ｐ２の撮像画像及び音声を情報表示装置１０に供給できる。また、インターホン装置８０は、情報表示装置１０の音声発生部２３から供給された音声信号に従って、スピーカ８３から音声を出力させる。
【００８４】
電気錠センサ６１は、玄関の施解錠状態を検知する。電気錠センサ６１は、電気錠が、施錠状態と解錠状態との間で切り替えられたときに、センサ信号を情報表示装置１０に供給する。
【００８５】
インターフォンボタン６２は、住宅１外のインターフォン装置に備えられ、住宅１への訪問者により操作される。インターフォンボタン６２は、訪問者により操作されたことに応じて、センサ信号を情報表示装置１０に供給する。
【００８６】
情報表示装置１０は、電気錠センサ６１及びインターフォンボタン６２と接続された発生事象取得部７１、検出情報記憶部７２を備える。
【００８７】
発生事象取得部７１は、電気錠センサ６１及びインターフォンボタン６２からセンサ信号が供給される。発生事象取得部７１は、電気錠センサ６１により電気錠の解錠を検知した時又はインターフォンボタン６２が操作された時に、センサ信号を検出情報記憶部７２に記録する。なお、検出情報記憶部７２に記憶した情報は、所定時間後に順次消去するものとする。
【００８８】
システム制御部１１は、検出情報記憶部７２に記憶された電気錠センサ６１、インターフォンボタン６２が操作された順序に基づいて、どのようなイベントが発生したかを判断する。そして、システム制御部１１は、発生したイベントに応じて、ユーザインターフェース変更部２２によりユーザインターフェース表示部２１のユーザインターフェースを変更する。
【００８９】
このような情報提示システムにおいて、情報表示装置１０は、標準ユーザインターフェースとして図２３に示すようなボタン４１ａ〜４１ｆを含むメニュー画面を表示させている。このような標準ユーザインターフェースを表示させている場面において、各ボタンが操作されたことに応じて、情報表示装置１０は、各種情報の表示を行う。
【００９０】
来訪者Ｐ２の来訪があり、インターホン装置８０の押ボタン８４が操作された場合、情報表示装置１０は、図２４に示すように、来訪者対応ユーザインターフェースに変更する。この来訪者対応ユーザインターフェースには、表示ディスプレイ３３に、カメラ映像４４ａ、解錠ボタン４４ｂ、会話ボタン４４ｃ、居留守ボタン４４ｄを含むメニュー画面を表示させる。
【００９１】
解錠ボタン４４ａが押されると、情報表示装置１０は、玄関の電気錠に解錠動作を行わせる。会話ボタン４４ｃが押された状態において、情報表示装置１０は、スピーカ３２により来訪者Ｐ２の音声を出力すると共にマイク３４から利用者Ｐ１の音声を出力可能とする。居留守ボタン４４ｄを押すと、情報表示装置１０は、「お名前と用件をお話下さい」といった用件録音を案内するメッセージをインターホン装置８０のスピーカ８３から出力させる。
【００９２】
また、情報表示装置１０は、住宅１の住人が帰宅した場合、図２５に示すように、帰宅対応ユーザインターフェースに変更する。この帰宅対応ユーザインターフェースは、表示ディスプレイ３３に、室温・湿度表示４５ａ、エアコンＯｎボタン４５ｂ、伝言確認ボタン４５ｃ、セキュリティボタン４５ｄ、喚起Ｏｎボタン４５ｅ、来訪者確認ボタン４５ｆ、その他ボタン４５ｇを含むメニュー画面を表示させる。
【００９３】
エアコンＯｎボタン４５ｂが押されると、情報表示装置１０は、住宅１内のエアコンに対して起動する制御信号を供給する。伝言確認ボタン４５ｃが押されると、情報表示装置１０は、表示ディスプレイ３３又はスピーカ３２から伝言を再生等する。セキュリティボタン４５ｄが押されると、情報表示装置１０は、外出時に検出したセンサ出力等を確認するよう表示ディスプレイ３３に表示を行う。喚起Ｏｎボタン４５ｅが押されると、情報表示装置１０は、住宅１内の喚起ファン等を起動させる。来訪者確認ボタン４５ｆが押されると、情報表示装置１０は、外出時においてインターホン装置８０の押ボタン８４が操作された履歴等を表示ディスプレイ３３に表示する。その他ボタン４５ｇが押された場合、情報表示装置１０は、他のメニュー項目を含むメニュー画面を表示させる。
【００９４】
このような情報提示システムにおいて、システム制御部１１は、図２６に示す動作を行う。
【００９５】
先ずステップＳ３０１において、システム制御部１１は、検出情報記憶部７２から最新の記憶情報を取得する。
【００９６】
次のステップＳ３０２において、システム制御部１１は、ステップＳ３０１にて取得した最新の記憶情報を参照して、最新の事象が、情報表示装置１０の押ボタン３５が押された事象であるか否かを判定する。情報表示装置１０の押ボタン３５の操作である場合には、ステップＳ３０３に処理を進め、そうでない場合には、処理を終了する。
【００９７】
ステップＳ３０３において、システム制御部１１は、検出情報記憶部７２から、２番目に新しい記憶情報を取得する。
【００９８】
次のステップＳ３０４において、システム制御部１１は、ステップＳ３０３にて取得した２番目の記憶情報を参照して、２番目の事象が、インターホン装置８０の押ボタン８４（インターフォンボタン６２）が押された事象であるか否かを判定する。インターホン装置８０の押ボタン８４の操作である場合には、ステップＳ３０５に処理を進め、そうでない場合には、ステップＳ３０６に処理を進める。
【００９９】
ステップＳ３０６において、システム制御部１１は、ステップＳ３０３にて取得した２番目の記憶情報を参照して、２番目の事象が、電気錠センサ６１が電気錠の解錠状態を検出した事象であるか否かを判定する。システム制御部１１は、電気錠が解錠状態となった事象である場合には、ステップＳ３０７に処理を進め、そうでない場合には、ステップＳ３０８に処理を進める。
【０１００】
ステップＳ３０７において、システム制御部１１は、ユーザインターフェース変更部２２により、ユーザインターフェース表示部２１の表示を帰宅対応ユーザインターフェースに変更させる。
【０１０１】
すなわち、利用者Ｐ１が帰宅した場合、通常、自己の鍵により電気錠を解錠し、情報表示装置１０を操作する。これにより、検出情報記憶部７２には、図２７に示すような検出情報を記憶する。従って、ステップＳ３０４の判定は、否定判定となる。したがって、この場合には、ステップＳ３０７において、図２８に示すように、表示ディスプレイ３３に帰宅対応ユーザインターフェースのメニュー画面を表示させることができる。
【０１０２】
ステップＳ３０５において、システム制御部１１は、ユーザインターフェース変更部２２により、ユーザインターフェース表示部２１の表示を来訪者対応ユーザインターフェースに変更させる。
【０１０３】
すなわち、来訪者Ｐ２があった場合、通常、インターホン装置８０の押ボタン８４（インターフォンボタン６２）が操作され、その後に情報表示装置１０の押ボタン３５が操作される。これにより、検出情報記憶部７２には、図２９に示すような検出情報を記憶する。従って、ステップＳ３０２、３０４の判定は、肯定判定となる。したがって、この場合には、ステップＳ３０９において、図３０に示すように、表示ディスプレイ３３に来訪者対応ユーザインターフェースのメニュー画面を表示させることができる。
【０１０４】
更に、情報表示装置１０が押されたときに、２番目の事象がインターホン装置８０の押ボタン８４の操作及び電気錠センサ６１による解錠の双方では無い場合には、ステップＳ３０８において、システム制御部１１は、通常の使用状態と判断する。これにより、ステップＳ３０９において、システム制御部１１は、標準ユーザインターフェースを表示ディスプレイ３３に表示させることができる。
【０１０５】
以上説明したように、第３実施形態として示した情報提示システムによれば、情報表示装置１０の押ボタン３５とインターホン装置８０の押ボタン８４（インターフォンボタン６２）をセンサとして用いる。これにより、情報提示システムは、当該ボタンが操作された組み合わせに応じてユーザインターフェースを変更することができ、利用者Ｐ１がメニュー操作をすることなく、適切なメニュー画面を表示して、利用者Ｐが望む情報を提示することができる。
【０１０６】
なお、上述の第１乃至第３の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【０１０７】
１  住宅
１０  情報表示装置
１１  システム制御部
１２  ユーザインターフェース部
１３  センサ設置場所記憶部
１４  時刻管理部
１５  センサ情報取得部
１６  センサ情報記憶部
２１  ユーザインターフェース表示部
２２  ユーザインターフェース変更部
２３  音声発生部
２４  操作入力部
３１  筐体
３２  スピーカ
３３  表示ディスプレイ
３４  マイク
３５  押ボタン
５１  センサシーケンスメニュー候補記憶部
６１  電気錠センサ
６２  インターフォンボタン
７１  発生事象取得部
７２  検出情報記憶部
８０  インターホン装置
８１  筐体
８２  カメラ
８３  スピーカ
８４  押ボタン
８５  マイク
【図１】
2011204061.tif 000003
【図２】
2011204061.tif 000004
【図３】
2011204061.tif 000005
【図４】
2011204061.tif 000006
【図５】
2011204061.tif 000007
【図６】
2011204061.tif 000008
【図７】
2011204061.tif 000009
【図８】
2011204061.tif 000010
【図９】
2011204061.tif 000011
【図１０】
2011204061.tif 000012
【図１１】
2011204061.tif 000013
【図１２】
2011204061.tif 000014
【図１３】
2011204061.tif 000015
【図１４】
2011204061.tif 000016
【図１５】
2011204061.tif 000017
【図１６】
2011204061.tif 000018
【図１７】
2011204061.tif 000019
【図１８】
2011204061.tif 000020
【図１９】
2011204061.tif 000021
【図２０】
2011204061.tif 000022
【図２１】
2011204061.tif 000023
【図２２】
2011204061.tif 000024
【図２３】
2011204061.tif 000025
【図２４】
2011204061.tif 000026
【図２５】
2011204061.tif 000027
【図２６】
2011204061.tif 000028
【図２７】
2011204061.tif 000029
【図２８】
2011204061.tif 000030
【図２９】
2011204061.tif 000031
【図３０】
2011204061.tif 000032